(57)【要約】      （修正有）【課題】  反射光による発電能力向上効果を損なうことなく、太陽電池素子と太陽電池素子外周部や太陽電池素子間の色の差により設置外観が損なわれることを低減でき、しかも採光部分とそうでない部分に同一の太陽電池モジュールを用いることができる太陽電池アレイを提供すること。【解決手段】  傾斜屋根を備えた建物の屋根上に設置するための太陽電池モジュールであって、この太陽電池モジュールは透光性基板である透光性表面部材１と、この透光性基板の裏面側に配した太陽電池素子３と、この太陽電池素子の裏面側に配した透光性を有する耐候性フィルム７によって構成され、さらにその裏面に空気層を介して階段状の反射部材４とを備える。【選択図】  図１
2006100439.tif 000002
【特許請求の範囲】
【請求項１】
光反射部を備えた反射性部材の上に、太陽電池本体を配置した太陽電池モジュールであって、前記太陽電池本体は、複数個の太陽電池素子を充填材により封止して成る太陽電池素子群と透光性基板とを備え、隣接する各太陽電池素子の隙間を通して入射した太陽光が、上記光反射部にて反射し、その反射光が、当該隙間を通るように成し、さらに太陽電池本体と、前記反射性部材の間に、前記光反射部の上面を平滑にすべく、透光性樹脂層を形成したことを特徴とする太陽電池モジュール。
【請求項２】
光反射部を備えた反射性部材の上に、太陽電池本体を配置した太陽電池モジュールであって、前記太陽電池本体は、複数個の太陽電池素子を充填材により封止して成る太陽電池素子群と透光性基板とを備え、隣接する各太陽電池素子の隙間を通して入射した太陽光が、上記光反射部にて反射し、その反射光が、当該隙間を通るように成し、さらに前記太陽電池本体と反射性部材の双方の縁部を保持する支持体を備えたことを特徴とする太陽電池モジュール。
【請求項３】
前記反射性部材を前記支持体に対し着脱自在に設けたことを特徴とする請求項２に記載の太陽電池モジュール。
【請求項４】
前記太陽電池モジュールを、傾斜屋根上に設置するように供したことを特徴とする請求項１ないし３に記載の太陽電池モジュール。
【請求項５】
前記入射光の入射角度の変動に伴って、その反射光が当該隙間を通るようにすべく、前記光反射部に曲面部を形成したことを特徴とする請求項１ないし４に記載の太陽電池モジュール。
【請求項６】
前記光反射部が階段状を成し、この階段上面の太陽光に対する反射率より階段側面の太陽光に対する反射率を低くしたことを特徴とする請求項４に記載の太陽電池モジュール。
【請求項７】
光反射部と光透過部とを備えた背面部材の上に、複数個の太陽電池素子を充填材により封止して成る太陽電池素子群と透光性基板とを備えた太陽電池本体を配置し、前記背面部材と太陽電池本体との位置関係を制御して、隣接する各太陽電池素子の隙間を通して入射した太陽光が背面部材の光反射部に投光されるように成したことを特徴とする太陽電池モジュール。
【請求項８】
請求項７に記載の前記太陽光が背面部材の光反射部に投光されるように成したことに代えて、背面部材の光透過部に投光されるように成したことを特徴とする請求項７に記載の太陽電池モジュール。
【請求項９】
太陽電池本体および背面部材の双方の縁部を保持する支持体を備えたことを特徴とする請求項７または８に記載の太陽電池モジュール。
【請求項１０】
前記背面部材を前記支持体に対し着脱自在に設けたことを特徴とする請求項９に記載の太陽電池モジュール。
【請求項１１】
前記背面部材を前記太陽電池本体に対し相対移動すべくスライド構造にしたことを特徴とする請求項７ないし１０に記載の太陽電池モジュール。
【請求項１２】
前記太陽電池モジュールを、壁体に設置するように供したことを特徴とする請求項７ないし１１に記載の太陽電池モジュール。
【発明の詳細な説明】
【技術分野】
【０００１】
本発明は太陽電池本体の裏面側に光反射部を備えた反射性部材を備えた太陽電池モジュールに関するものである。もしくは本発明は太陽電池本体の裏面側に光反射部と光透過部とを備えた背面部材を備えた太陽電池モジュールに関するものである。
【背景技術】
【０００２】
近年、地球環境問題、省エネルギーへの関心の高まりとともに、自然エネルギーを利用した新エネルギー技術が注目されている。そのひとつとして、太陽エネルギーを利用したシステムへの関心が高く、とくに太陽光発電装置の住宅への普及が加速されてきている。
【０００３】
太陽光発電装置は、その主要な構成要素である太陽電池モジュールにより太陽光エネルギーを電力に変換して利用することにより、家庭の電気負荷を低減させるものである。
【０００４】
住宅においては、家屋の屋根上に太陽電池モジュールを配設して利用されることが多いため、屋根上への太陽電池モジュールの取り付け構造も種々考案されている。
【０００５】
この太陽光発電システムに使用される太陽電池モジュールは住宅屋根に代表される既設の設置面、あるいは地上架台、陸屋根架台等に代表されるような新設された設置面に設置される。
【０００６】
それらの設置面に設置するための太陽電池モジュールは、複数の太陽電池素子を直並列に接続し、強化ガラス・封入樹脂・耐候性フィルムで挟持する構造が一般的である。
【０００７】
図１１は従来の太陽光発電装置に係る太陽電池モジュールの概略断面図である。
【０００８】
同図に示す太陽電池モジュール４０によれば、１０は太陽電池素子であり、たとえばシリコン等から成る半導体の光電変換効果を利用して電力が得られるように構成したものであって、このような太陽電池素子１０を複数個直列および並列に電気的に接続し、そして、耐候性のある素材で覆うように成し、所要の出力電圧や出力電流を得るようにしている。
【０００９】
この太陽電池素子１０は単結晶や多結晶シリコンなどの結晶系太陽電池や、薄膜系太陽電池などにより構成する。
【００１０】
かかる太陽電池モジュール４０においては、太陽電池素子１０の受光面にはガラス板や合成樹脂板などの光透過板１１を配置し、その裏面である非受光面にはテフロン（登録商標）フィルムやＰＶＦ（ポリフッ化ビニル）、ＰＥＴ（ポレエチレンテレフタレート）などの耐候性フィルム１２を被着し、光透過板１１と耐候性フィルム１２との間には、たとえばＥＶＡ（エチレン−酢酸ビニル共重合樹脂）などから成る透明な合成樹脂を介在し、充填材１６と成している。
【００１１】
そして、これら光透過板１１、太陽電池素子１０および耐候性フィルム１２の重ね構造の矩形状の本体に対し、その各辺周囲をアルミニウム金属やＳＵＳ等から成る枠体１５を挟み込むように装着し、太陽電池モジュール４０全体の強度を高めている。
【００１２】
また、太陽電池モジュール４０の裏面には、すなわち耐候性フィルム１２の上にはＡＢＳ樹脂などの合成樹脂やアルミニウム金属などで構成したジャンクションボックス１３を接着し、太陽電池モジュール４０の出力電力を取り出すターミナルと成している。
【００１３】
図１２は従来の住宅の屋根上に太陽電池モジュールを複数載置し、太陽光発電装置とした様子を示す斜視図である。
【００１４】
同図に示すごとく、住宅の屋根上に複数の太陽電池モジュール４０を載置した太陽光発電装置３９によれば、太陽電池モジュール４０を複数配設して太陽電池アレイと成し、この太陽電池アレイで発電された電力を送電ケーブル３８および接続３７を通して系統連系インバータ３６へ送電する。
【００１５】
さらに詳しく述べると、通常、送電ケーブル３８の電線は複数本であることが多く、送電ケーブル３８の電線を接続箱３７で並列接続している。そして、太陽電池アレイで発電された直流電力を交流電力に変換する系統連系インバータ３６に入力し、一般の交流負荷に供給したり、もしくは系統連系により電力会社へ売電することができるように構成している。
【００１６】
ところで、太陽電池素子は、光電変換効率の向上を目的として設計されているため、青・濃紺・黒色などの低反射率の色をしていることが多く、前述したような太陽電池モジュール４０を家屋の外から見ると、太陽電池モジュール４０は青・濃紺・黒色の太陽電池素子の色の間を白い線が縦横に走っているように見える。
【００１７】
図１３は従来の住宅の屋根上に載置した太陽電池モジュールの色の見え方を説明する概略断面図である。
【００１８】
同図に示すように、太陽電池素子１０の隙間から太陽電池モジュール４０の裏面である非受光面に被着される耐候性フィルム１２が視認でき、しかも、この耐候性フィルム１２が白色などの高い反射率を有する色であり、これにより、太陽電池素子と太陽電池素子外周部や太陽電池素子間において大きな色の差を有し、その結果、視認しやすいものである。
【００１９】
前記耐候性フィルム１２については、太陽電池素子外周部や、太陽電池素子間に照射された太陽光を効率よく太陽電池モジュール内部に反射させ、太陽電池モジュールの発電能力を高める効果がある。
【００２０】
この効果を高めるためには、耐候性フィルムや太陽電池素子裏面側の封入樹脂を白などの高い反射率を有する色にすることが有効である。
【００２１】
そこで、耐候性フィルムの耐候性を維持したまま、より反射性能が向上するように耐候性フィルムを役割の異なる層を多層に重ね合わせる多層構造とした技術が提案されている（特許文献１参照）。
【特許文献１】特開２００２−１００７８８号公報
【発明の開示】
【発明が解決しようとする課題】
【００２２】
しかしながら、前述したように太陽電池素子１０と耐候性フィルム１２との間にて、色の差がある場合、次のような課題があった。
【００２３】
たとえば、屋根上に設置された太陽電池モジュールを視認すると、高反射率を有する太陽電池素子の外周部や太陽電池素子間が目立ち、青・濃紺・黒の太陽電池素子が暗色系の色によって視覚的に屋根を重厚に見せようとしても、その意図を阻害し、とくに暗系色の屋根材を使用した傾斜屋根面に太陽電池モジュールを設置すると、屋根の一部だけに白色系の線が縦横に走ることとなり、これによって住宅の設置外観を大きく損なっていた。
【００２４】
一方、このような問題の対策として、外観意匠性を重視し、黒などの低反射率の耐候性フィルムを用いて暗色系の太陽電池素子と太陽電池素子間の耐候性フィルムと極端な明暗の差を生じさせないようにする技術がある。
【００２５】
しかしながら、このような構成によれば、反射光による発電能力向上効果が損なわれ、太陽電池モジュールの発電能力低下を余儀なくされ、その効率低下は５５Ｗの太陽電池モジュールで、およそ５％に達し、太陽光発電として大きな発電損失を生じさせる。
【００２６】
また、特許文献１においては、発電効率を向上させるため、機能や効果の異なる層を積層した耐候性フィルムを用いる技術が提案されているが、上述したごとき外観意匠性を改善する方法については記載されていない。
【００２７】
また、従来の太陽電池モジュールによれば、上述のごとき外観意匠以外に、各太陽電池素子の間に入射する光について、発電効率を高めるための好適な構成が、いまだ十分に検討されていなかった。
【００２８】
ところで、近年、採光も行なえるようにした住宅用屋根が提案されている。
【００２９】
このような住宅用屋根によれば、採光箇所に耐候性フィルムを透光性のものとした透光性太陽電池モジュールを用いて、他方、採光を必要としない箇所に対して前述したような高反射率もしくは着色された耐候性フィルムを用いた構成にしており、このような構成の太陽電池モジュールを配置することで、２種類の太陽電池モジュールを用意しなければならず、これにより、施工が複雑化するという課題があった。
【００３０】
したがって本発明の目的は、光反射部を備えた反射性部材を用いることで、各太陽電池素子の間隙に入る太陽光を、さらに発電効率を高めるように有効に利用した太陽電池モジュールを提供することにある。
【００３１】
本発明の他の目的は太陽電池本体に対し、さらに光反射部を備えた反射性部材を配置する構成において、その反射性部材の機能や役割を高めて、自由度を高めた太陽電池モジュールを提供することにある。
【００３２】
本発明のさらに他の目的は、光反射部と光透過部とを備えた背面部材を用いることで、各太陽電池素子の間隙に入る太陽光を、さらにこの光透過部を通して採光するようにした太陽電池モジュールを提供することにある。
【００３３】
また、本発明の目的は、設置外観が損なわれることを低減し、意匠性を高めた太陽電池モジュールを提供することにある。
【課題を解決するための手段】
【００３４】
本発明は、光反射部を備えた反射性部材の上に、太陽電池本体を配置した太陽電池モジュールであって、この太陽電池本体は、複数個の太陽電池素子を充填材により封止して成る太陽電池素子群と透光性基板とを備え、隣接する各太陽電池素子の隙間を通して入射した太陽光が、光反射部にて反射し、その反射光が、その隙間を通るように成し、さらに太陽電池本体と、前記反射性部材の間に、前記光反射部の上面を平滑にすべく、透光性樹脂層を形成したことを特徴する。
【００３５】
本発明の他の太陽電池モジュールは、光反射部を備えた反射性部材の上に、太陽電池本体を配置したモジュール構造において、この太陽電池本体は、複数個の太陽電池素子を充填材により封止して成る太陽電池素子群と透光性基板とを備え、隣接する各太陽電池素子の隙間を通して入射した太陽光が、上記光反射部にて反射し、その反射光が、その隙間を通るように成し、さらに前記太陽電池本体と反射性部材の双方の縁部を保持する支持体を備えたことを特徴とする。
【００３６】
本発明のさらに他の太陽電池モジュールは、前記反射性部材を前記支持体に対し着脱自在に設けたことを特徴とする。
【００３７】
また、本発明の太陽電池モジュールは、前記太陽電池モジュールを、傾斜屋根上に設置するように供したことを特徴とする。
【００３８】
本発明の太陽電池モジュールは、前記入射光の入射角度の変動に伴って、その反射光が当該隙間を通るようにすべく、前記光反射部に曲面部を形成したことを特徴とする。
【００３９】
また、本発明の太陽電池モジュールは、前記光反射部が階段状を成し、この階段上面の太陽光に対する反射率より階段側面の太陽光に対する反射率を低くしたことを特徴とする。
【００４０】
さらにまた、本発明の太陽電池モジュールは、光反射部と光透過部とを備えた背面部材の上に、複数個の太陽電池素子を充填材により封止して成る太陽電池素子群と透光性基板とを備えた太陽電池本体を配置し、前記背面部材と太陽電池本体との位置関係を制御して、隣接する各太陽電池素子の隙間を通して入射した太陽光が背面部材の光反射部に投光されるように成したことを特徴とする。
【００４１】
本発明の太陽電池モジュールは、前記太陽光が背面部材の光反射部に投光されるように成したことに代えて、背面部材の光透過部に投光されるように成したことを特徴とする。
【００４２】
本発明の他の太陽電池モジュールは、太陽電池本体および背面部材の双方の縁部を保持する支持体を備えたことを特徴とする。
【００４３】
本発明のさらに他の太陽電池モジュールは、前記反射性部材を前記支持体に対し着脱自在に設けたことを特徴とする。
【００４４】
本発明の太陽電池モジュールは、前記反射性部材を前記太陽電池本体に対し相対移動すべくスライド構造にしたことを特徴とする。
【００４５】
また、本発明の太陽電池モジュールは、前記太陽電池モジュールを、壁体に設置するように供したことを特徴とする。
【発明の効果】
【００４６】
本発明の太陽電池モジュールは、上記構成のごとく、光反射部を備えた反射性部材の上に、太陽電池本体を配置したモジュール構成において、前記太陽電池本体は、複数個の太陽電池素子を充填材により封止して成る太陽電池素子群と透光性基板とを備え、隣接する各太陽電池素子の隙間を通して入射した太陽光が、上記光反射部にて反射し、その反射光が、当該隙間を通るように成し、さらに太陽電池本体と、前記反射性部材の間に、前記光反射部の上面を平滑にすべく、透光性樹脂層を形成したことで、その光反射部の凹凸面に起因して残りやすい残渣や埃、その他の不純物が付着しなくなり、これにより、乱反射が生じにくくなり、光反射部における反射光が隙間を通りやすくなり、その結果、所望どおりの光電変換性能が得られ、発電効率を高めることができる。
【００４７】
また、本発明の太陽電池モジュールは、上記構成のごとく、さらに太陽電池本体および反射性部材の双方の縁部を保持する支持体を備えたことで、一体化させ、これにより、隣接する各太陽電池素子の隙間を通して入射した太陽光が、前記光反射部において正確な部位でもって反射し、その結果、所望どおりの光電変換性能が得られ、発電効率を高めることができる。
【００４８】
その上、この支持体を太陽電池モジュールの枠部として用いて、さらに反射性部材をも固定するように成したことで、施工性を向上させるという効果を奏する。
【００４９】
すなわち、太陽電池モジュールの枠部でもって、反射性部材の支持固定を行なうようにしたことで、反射性部材を太陽電池モジュールに対し一体的に施工することができ、これにより、施工性を向上させるとともに、反射性部材に対する固定用部材を削減できる。
【００５０】
本発明の太陽電池モジュールは、上記構成のごとく、反射性部材を支持体に対し着脱自在に設けたことで、さらにその自由度が高められる。たとえば、劣化し品質上に問題になった反射性部材を容易に交換することができる。さらに反射性部材を支持体に取り付けることで、優れた採光を行うことができ、支持体から取り外すことによる発電効率向上という狙いに、容易に切り替えることができ、その結果、常に発電効率の高い太陽電池モジュールとして発電電力量の増加に貢献させることができる。
【００５１】
本発明の太陽電池モジュールによれば、その設置に当り、さまざまな仕様が考えられる。たとえば、ビルの屋上において、そのモジュールを水平に設置してもよく、もしくは傾斜屋根上に設置するように供してもよい。
【００５２】
そして、本発明の太陽電池モジュールによれば、前記入射光の入射角度に変動に伴って、その反射光が当該隙間を通るようにすべく、前記光反射部に曲面部を形成した構成にしてもよい。このような構成にしたことで、太陽の移動に伴って、太陽光の入射角度が変わっても、その反射光も各太陽電池素子の隙間を通るようにでき、その結果、大きな光電変換性能が得られ、発電効率を高めることができる。
【００５３】
また、本発明の太陽電池モジュールによれば、前記光反射部が階段状を成し、この階段上面の太陽光に対する反射率より階段側面の太陽光に対する反射率を低くしたことで、傾斜屋根上に設置した太陽電池モジュールにおいて、人から太陽電池モジュールを見たとき、太陽電池素子と光反射部の階段側面との色の差が目立たなくなり、その結果、反射光による発電能力向上効果を損なうことなく、太陽電池素子と、太陽電池素子外周部や太陽電池素子間の色の差により、住宅の設置外観が損なわれることを低減できる。
【００５４】
さらにまた、隣接する各太陽電池素子の隙間を通して入射した太陽光が、光反射部にて反射し、その反射光が、当該隙間を通るように成したことで、さらに人から見えるのは、階段状の光反射部の各々の間における間隙からなる段差部になり、これにより、太陽光等が強い場合でも、それにより生じる影で段差部となる間隙は一層暗く見える効果を得ることができる。
【００５５】
また、前記光反射部が階段状を成し、この階段上面の太陽光に対する反射率より階段側面の太陽光に対する反射率を低くしたことで、階段状の光反射部の階段側面に照射される散乱光も、この階段側面に吸収され、本発明の効果を一層高めることができる。
【００５６】
さらにまた、本発明の太陽電池モジュールにおいては、上記構成のごとく、光反射部と光透過部とを備えた背面部材の上に、太陽電池本体を配置し、そして、この背面部材と太陽電池本体との位置関係を制御して、隣接する各太陽電池素子の隙間を通して入射した太陽光が背面部材の光反射部に投光されるように成したことで、もしくは背面部材の光透過部に投光されるように成したことで、さらに使用上の自由度を高め、たとえば、室内などの採光にも利用することができる。
【００５７】
本発明の太陽電池モジュールにおいては、上記構成のごとく、太陽電池本体および背面部材の双方の縁部を保持する支持体を備えたことで、太陽電池本体および背面部材に対する位置関係を所要通りに設定することができ、設計上の自由度を高めることができる。
【００５８】
たとえば、反射性部材を支持体に対し着脱自在に設けることができる。あるいは、反射性部材を太陽電池本体に対し相対移動すべくスライド構造にもできる。このような構成にしたことで、採光と発電効率向上という切り替えを容易にしている。さらにまた、本発明の太陽電池モジュールよれば、太陽電池モジュールを、壁体に設置するように供することもできる。
【００５９】
また、本発明によれば、前記のごとく、光反射部を備えた反射性部材や背面部材を構成するに当り、その光反射部を所望する部位、すなわち、太陽電池素子の裏面側の太陽電池素子間および周辺部と対応する部位のみに配置することで、軽量化をはかることができる。
【００６０】
しかも、本発明によれば、さらに太陽電池本体と反射性部材の各縁部を保持する支持体とを備えたことで、空気層ができ、これによって太陽電池本体に対する断熱性が得られる。しかも、その支持体の構造を規定することで、その空気層の総量を増やし、その結果、断熱性をさらに向上させられる。これにより、家屋の屋根に対し、太陽光による加熱を低減でき、さらには最小限に抑えることができるという効果が得られる。
【発明を実施するための最良の形態】
【００６１】
以下、本発明に係る太陽電池モジュールの一実施形態について、模式的に示した図面に基づいて詳細に説明する。
【００６２】
（例１）
図１は本発明に係る太陽電池モジュールの一実施形態を模式的に示した側面図（一部断面図）である。
【００６３】
同図に示すように、２０は太陽電池モジュールであり、この太陽電池モジュール２０は太陽電池本体を備える。この太陽電池本体は前記透光性基板である透光性表面部材１と、複数個の太陽電池素子３を透光性充填材２により封止して成る前記太陽電池素子群とから成る。
【００６４】
具体的には、透光性表面部材１と透光性を有する耐候性フィルム７との間に透光性充填材２を介して太陽電池素子３が挟持される構造となっている。
【００６５】
また、太陽電池モジュールの外周には前述の透光性表面部材１などを外部からの衝撃等から保護したり、太陽電池モジュールを固定する役割を持つ枠体１７が取り付けられる。
【００６６】
４は前記反射性部材である反射部材であり、この反射部材４は枠体１７の溝部に嵌り込むようにして取り付けられる。
【００６７】
反射部材４はＳＵＳ、鉄やステンレスやアルミニウムのような金属、またはＦＲＰやポリカーボネイトのような耐候性の良い樹脂材から成り、そして、その表面部分（太陽電池モジュール側）に対し、光を高反射率で反射させる鏡面コーティング処理するか、もしくは白色などのような塗装処理をおこなう。さらに表面（受光面側）が図１に示されるような階段形状に成型されている。そして、このような処理でもって前記光反射部を構成する。
【００６８】
次に反射部材４の各部の好適な角度について説明する。
【００６９】
反射部材４は太陽光を反射させて太陽電池素子の発電効率を向上させる面である棟方向面４−Ａ（屋根設置の場合に屋根の棟に平行な面）と、傾斜状態で設置された太陽電池モジュールを地上９から見たときに観測者の目に映る面である軒方向面４−Ｂ（屋根設置の場合に屋根の軒側に向いた面）とから構成される。
【００７０】
そして、太陽電池モジュール２０の非受光面側に前記階段形状を備えた反射部材４を配置するに当り、透光性樹脂層を介して固定する。
【００７１】
この透光性樹脂層については、たとえばＥＶＡ（エチレン−酢酸ビニル共重合樹脂）などから成る透明な合成樹脂である透光性封入樹脂層および／またはテフロン（登録商標）フィルムやＰＶＦ（ポリフッ化ビニル）、ＰＥＴ（ポレエチレンテレフタレート）などの透光性耐候性フィルムを用いればよい。
【００７２】
太陽電池モジュールの設置角度γは、傾斜屋根の屋根角度と同等になる場合が多く、一方、屋根角度は通常４寸（２１．８度）から６寸（３１．０度）程度の範囲であることが多い。棟方向面４−Ａの設置時の地上面に対する角度αは、地上面から可能な限り棟方向面４−Ａを視認させない角度がよい。観測者が遠方にいる場合を想定すると０度が理想である。また、軒方向面４−Ｂの設置時の地上面に対する角度βは、太陽からの直達光が可能な限り到達しない角度が理想的である。設置面が南向き傾斜面の場合は、設置地点における冬至正午の太陽高度以下であることが望ましい。
【００７３】
図２は本発明に係る太陽電池モジュールの太陽光に対する反射状態を説明するための側面図（一部断面図）である。
【００７４】
同図に示すように、太陽光５は太陽電池素子３の表面を照射する以外に、各太陽電池素子３の間から透明の耐候性フィルム７を通り抜けて反射部材４の棟方向面４−Ａ（太陽電池素子３間の隙間の部分）を照射する。
【００７５】
この場合、棟方向面４−Ａで反射された光が再度、各太陽電池素子３の間を通って透光性表面部材１で再反射し、太陽電池素子３の受光面に照射されて発電に貢献する。
【００７６】
そして、観測者６から太陽電池モジュール２０を視認した場合には軒方向面４−Ｂには太陽光５の直達光が照射されない場合が多く、この場合は軒方向面４−Ｂには散乱光のみが照射され、これにより、地上の観測者６は主に軒方向面４−Ｂのみを視認するので、反射部材４が暗色系の低反射色に見える。
【００７７】
以上のとおり、反射部材４の光反射面を白色などの反射率を高くした色で製作すると、太陽光５からの入射光の大半は、複数の棟方向面４−Ａに照射され、乱反射されて、その一部は透光性表面部材１や透光性充填材２を通って太陽電池素子３の受光面に照射され、これによって、太陽電池モジュールの発電量が増加するが、本発明者の実験によれば、反射がない場合に比べて約５％の発電量増加が確認され、この反射による発電量増加効果は、従来の太陽電池モジュールにおける白色の耐候性フィルムが平坦に成型されている場合と概略同等である。
【００７８】
かくして詳述したとおり、太陽電池素子３の受光面は低反射色であり、太陽電池素子３間や太陽電池素子３の外周部から見える軒方向面４−Ｂも低反射色に見えるため、観測者６は太陽電池素子３と軒方向面４−Ｂの色の差を認識しがたくなり、その結果、反射光による発電能力向上効果を損なうことなく、太陽電池素子と太陽電池素子外周部や太陽電池素子間の色の差により設置外観が損なわれることを低減できた太陽電池モジュールが得られる。
【００７９】
図１０は本発明に係る反射部材４の他の実施形態を模式的に示した斜視図である。
【００８０】
同図に示すように、反射部材４の受光面側（太陽電池モジュール側）を階段状にして、棟方向面４−Ａを白色などの高反射色に着色し、軒方向面４−Ｂを黒色などの低反射色に着色した反射部材４ａとした場合は、軒方向面４−Ｂに照射された散乱光も含めて軒方向面４−Ｂに吸収される率が高くなるため、本考案の効果を一層高めることができる。
【００８１】
（例２）
次に太陽電池モジュールと反射部材の組付け構造の例について、図３〜図４を基に説明する。
【００８２】
本例によれば、太陽電池モジュール２０の非受光面側に空気層を介して反射部材４を配置し、そして、固定する構成である。
【００８３】
具体的には、図３（ｂ）に示すように、太陽電池モジュール２０はその外周にある枠体１７によって屋根上に取り付けられたＳＵＳ、鉄やステンレスやアルミニウム等のレールで構成される架台１８にネジやボルト１９で設置固定される。この時、枠体１７の太陽電池モジュール２０の裏面側に挿入溝２１を設けておけば、図３（ａ）に示すように反射部材４を太陽電池モジュール２０と一体的に取り付けることができる。さらに反射部材４の組付けは太陽電池モジュール２０の架台への設置前でも後でもよく、施工の容易な方を選択することが可能である。
【００８４】
この反射部材４が太陽電池モジュール２０に嵌め込む様子を図４（ａ）〜（ｃ）に示す。同図（ａ）、（ｂ）および（ｃ）の順でもって反射部材４を装着することができる。また、その逆の順序でもって反射部材４を外すことができる。
【００８５】
また、このような着脱自在の構造であれば、反射部材４を太陽電池本体に対し相対移動すべくスライド構造になる。
【００８６】
次に反射部材のその他の構造案について、図５〜図９を基に説明する。
【００８７】
（例３）
前記反射部材４については、本例のような構成にしてもよい。
【００８８】
図５に示すように表面の太陽光を反射させて太陽電池素子の発電効率を向上させる面である棟方向面４−Ａと傾軒方向面４−Ｂから成る凸部２２を、板上の基板状に配置した反射部材４１としてもよい。これによって、様々な太陽電池モジュールの大きさに合わせて容易に製造できる構造となる。
【００８９】
もしくは図６に示すごとく、一枚の板を凸部２２と凹部２３から成る階段形状に成型または折り曲げた構造にしてもよく、これによって、部材の薄型化による重量の低減化が得られる。
【００９０】
（例４）
また、図７に示すように凸部２２の配置を太陽電池モジュールの太陽電池素子間の隙間部分のみにした反射部材４３とすることにより、余分な凸部を無くして重量軽減となるようにしても良い。
【００９１】
さらにまた、図８に示すように凸部２２の表面形状を曲面もしくは多方向へ光が乱反射するように複数の反射面を持つ構成の反射部材４４としてもよい。
【００９２】
このように入射光の入射角度の変動に伴って、その反射光が各太陽電池素子の隙間を通るようにすべく、凸部２２に曲面部を形成したことで、太陽光の入射角度の変化が生じても透光性表面部材に向けて効果的に反射させることができる。
【００９３】
すなわち、このような構成にしたことで、太陽の移動に伴って、太陽光の入射角度が変わっても、その反射光も各太陽電池素子の隙間を通るようにでき、その結果、大きな光電変換性能が得られ、発電効率を高めることができる。
【００９４】
（例５）
また、反射部材を前述した図７のように太陽電池素子間の部分にのみ凸部を配し、かつ反射部材の凹部を光が透過できるように透光性もしくスリットを設けた反射部材４５とし、反射部材４５が可動可能な状態で設置することにより、太陽電池モジュールの発電効率向上と採光を選択可能とすることができる。
【００９５】
具体的には図９（ａ）に示すように太陽電池モジュール２０の枠部１７に、前記背面部材である反射部材４５を取り付けた状態では、太陽電池素子３間を通り抜けた太陽光５は反射部材４５の凸部２２で反射され、透光性表面部材１で再反射して太陽電池素子３の発電に寄与する。
【００９６】
一方、反射部材４５の位置を図９（ｂ）のように移動させることによって、各太陽電池素子３の隙間を通り抜けた太陽光５は、反射部材４５の光を透過させる部分である凹部２３を通過し、家屋内への採光が行なわれるようになる。
【００９７】
このように反射を行なう凸部２２と、光を透過させる凹部２３を使い分けることによって太陽電池モジュール２０を採光用と発電重視型の２つのいずれかを選択できる多機能太陽電池モジュールと成る。
【００９８】
なお、本例では反射部材４５の移動方向を家屋の棟側としたが、上下左右いずれの方向でも良く、また、移動の方法としては手動のほかに電動モーターなどを使って複数の移動を同時に行なえるようにしてもよい。
【００９９】
また、とくに図示しないが、太陽電池モジュールの一部を常に採光する部分とした場合、反射部材を用いなければ良いので、太陽電池モジュールを多数配する太陽電池アレイにおいて、透光性を有する太陽電池モジュール（太陽光を背面に通過させる採光型太陽電池モジュール）を通常の太陽電池モジュールと混在して設置する場合に、２種類の太陽電池モジュールを必要とせず、透光性を有する太陽電池モジュールのみを使用し、採光の必要のない場所の太陽電池モジュールに対しては本発明の階段形状に成型または折り曲げた板状の耐候性フィルムを太陽電池モジュールの枠体などに固定して取り付けることにより発電効率を向上させて、太陽光発電装置全体の総発電量を増加させる効果が得られるようにすれば良く、１種類の太陽電池モジュールのみを用いるので施工が簡単で、工場の出荷管理も容易である。
【０１００】
さらに、図３（ａ）に記したように反射部材４と透光性裏面部材７との間に空気層１４が介在するようになることにより、太陽光で太陽電池モジュール２０が加熱されてもその温度上昇を前記空気層１４と反射部材４及びその背面の空間の３重層で断熱されるので、家屋内への加熱と家屋側からの熱の放出を緩和して家屋内の冷暖房の効率を向上させる。また、このとき、反射部材４と透光性裏面部材７との間の空気層１４に空気の流通ができるようにして太陽電池モジュールの冷却を行い、発電効率の向上ができるようにすると好適である。
【図面の簡単な説明】
【０１０１】
【図１】本発明に係る太陽電池モジュールの一実施形態を模式的に示した側面図（一部断面図）である。
【図２】本発明に係る太陽電池モジュールの太陽光に対する反射状態を説明するための側面図（一部断面図）である。
【図３】（ａ）、（ｂ）は本発明に係る太陽電池モジュールの実施形態を模式的に示した側面図であり、（ａ）は太陽電池モジュールと反射部材の組付け状態を、（ｂ）は太陽電池モジュールと架台の固定状態を示す。
【図４】（ａ）〜（ｃ）は本発明に係る太陽電池モジュールと反射部材の組付けの実施形態を模式的に示した斜視図である。
【図５】本発明に係る反射部材の他の第１の実施形態を模式的に示した斜視図である。
【図６】本発明に係る反射部材の他の第２の実施形態を模式的に示した斜視図である。
【図７】本発明に係る反射部材の他の第３の実施形態を模式的に示した斜視図である。
【図８】本発明に係る反射部材の他の第４の実施形態を模式的に示した斜視図である。
【図９】（ａ）、（ｂ）は本発明に係る太陽電池モジュールと反射部材による発電効率重視と採光の切換を模式的に説明する側面図（一部断面図）であり、（ａ）は発電効率重視、（ｂ）は採光状態を示す。
【図１０】本発明に係る反射部材の他の実施形態を模式的に示した斜視図である。
【図１１】従来の太陽光発電装置に係る太陽電池モジュールの概略断面図である。
【図１２】従来の住宅の屋根上に太陽電池モジュールを複数載置し、太陽光発電装置とした様子を示す斜視図である。
【図１３】従来の住宅の屋根上に載置した太陽電池モジュールの色の見え方を説明する概略断面図である。
【符号の説明】
【０１０２】
１：透光性表面部材
２：透光性充填材
３：太陽電池素子
４：反射部材
４−Ａ：棟方向面
４−Ｂ：軒方向面
５：太陽光
６：観測者
７：耐候性フィルム
９：地上
１０：太陽電池素子
１１：光透過板
１２：耐候性フィルム
１３：ジャンクションボックス
１４：空気層
１５：枠体
１６：充填材
１７：枠体
１８：架台
１９：ボルト
２０、４０：太陽電池モジュール
２１：挿入溝
２２：凸部
２３：凹部
３６：系統連系インバータ
３７：接続箱
３８：送電ケーブル
３９：太陽光発電装置
４１〜４５：反射部材
【図１】
2006100439.tif 000003
【図２】
2006100439.tif 000004
【図３】
2006100439.tif 000005
【図４】
2006100439.tif 000006
【図５】
2006100439.tif 000007
【図６】
2006100439.tif 000008
【図７】
2006100439.tif 000009
【図８】
2006100439.tif 000010
【図９】
2006100439.tif 000011
【図１０】
2006100439.tif 000012
【図１１】
2006100439.tif 000013
【図１２】
2006100439.tif 000014
【図１３】
2006100439.tif 000015